(57)【特許請求の範囲】
【請求項１】
液晶パネルと、
前記液晶パネルの背面側に光を照射するＬＥＤ光源と、
前記液晶パネルと前記ＬＥＤ光源との間に配置された拡散板と、
前記ＬＥＤ光源に対して前記拡散板とは反対側に配置された反射シートと、
前記反射シートの背面側に配置されたパネルホルダーと、
前記反射シートの背面側に配置され、前記拡散板の背面で反射し前記反射シートと前記パネルホルダーとの隙間を伝搬する光を検出する、少なくとも１つの光検出装置と、
を備える、
液晶ディスプレイ。
【請求項２】
前記光検出装置は前記パネルホルダーに対して前記反射シートとは反対側に配置され、
前記パネルホルダーには前記隙間と離間した位置に穴が設けられ、
前記光検出装置は、前記隙間を経由して前記穴を通る前記光を検出する、
請求項１に記載の液晶ディスプレイ。
【請求項３】
前記光検出装置は前記パネルホルダーと前記反射シートの間に配置されている、
請求項１に記載の液晶ディスプレイ。
【請求項４】
前記少なくとも１つの光検出装置は複数である、
請求項１から請求項３のいずれか一項に記載の液晶ディスプレイ。
【請求項５】
前記少なくとも１つの光検出装置の検出結果に基づいて前記ＬＥＤ光源の輝度を調整する輝度調整部をさらに備える、
請求項１から請求項４のいずれか一項に記載の液晶ディスプレイ。
【請求項６】
請求項５に記載の液晶ディスプレイの複数と、
複数の前記液晶ディスプレイのそれぞれに備わる前記光検出装置の検出結果に基づいて、複数の前記液晶ディスプレイの輝度差を補正するように、各前記液晶ディスプレイに備わる前記輝度調整部を制御する制御部と、
を備え、
複数の前記液晶ディスプレイは、複数の前記液晶パネルが１つの画面を形成するように配置される、
マルチ画面ディスプレイ。
【発明の詳細な説明】
【技術分野】
【０００１】
本発明は液晶ディスプレイおよびマルチ画面ディスプレイに関する。
【背景技術】
【０００２】
一般に、複数の液晶ディスプレイを使用して大画面表示を構成するマルチ画面ディスプレイの場合、ＬＣＤ（Ｌｉｑｕｉｄ  Ｃｒｙｓｔａｌ  Ｄｉｓｐｌａｙ）を用いた４０〜６０インチサイズ程度の液晶ディスプレイを複数組み合わせて構成されている。従来、ＬＣＤを使用した液晶ディスプレイの光源としては冷陰極蛍光ランプ（ＣＣＦＬ：Ｃｏｌｄ  Ｃａｔｈｏｄｅ  Ｆｌｕｏｒｅｓｃｅｎｔ  Ｌａｍｐ）が使用されていたが、近年は発光ダイオード（ＬＥＤ：Ｌｉｇｈｔ  Ｅｍｉｔｔｉｎｇ  Ｄｉｏｄｅ）をＬＣＤパネル直下に複数個配置して、液晶パネルを背面より照明するバックライトを構成するようになっているものが主流である。液晶ディスプレイの映像表示部は、液晶パネルの背面に拡散シート及び拡散板を配置し、それらを透過したバックライト光が液晶モジュールの画像を構成するものであり、バックライトに使用されるＬＥＤ光源は、基本的に液晶パネルのバックライト筐体内部に配置され、ＬＥＤ光源の背面側に反射シートが配置されている。それらの構成部材全体を板金でカバーし、更に板金の背面にはパネル駆動基板等が配置されて、それらの基板と内部ＬＣＤモジュールはリード線で接続された状態で液晶パネルモジュールとしてユニット化されている。
【０００３】
大画面を構成する際に、大画面を構成する複数の液晶ディスプレイの輝度を均一にしなければならない。そのために、個々の液晶ディスプレイの輝度を検出する必要がある。検出の方法として、ＬＥＤ光源の背面に配置された反射シートを透過した光を検出する方法がある（特許文献１を参照）。
【先行技術文献】
【特許文献】
【０００４】
【特許文献１】特開平１０−２２２０８４号公報
【発明の概要】
【発明が解決しようとする課題】
【０００５】
特許文献１では、ＬＥＤ光源の背面に配置された反射シートを透過した光を光検出装置により検出している。しかし、近年の液晶ディスプレイにおいては、反射シートの反射率が向上しているため、反射シートを透過した光は、検出可能な強度を有さない。
【０００６】
本発明は以上のような課題を解決するためになされたものであり、光源の輝度をより精度良く検出する液晶ディスプレイおよびマルチ画面ディスプレイの提供を目的とする。
【課題を解決するための手段】
【０００７】
本発明に係る液晶ディスプレイは、液晶パネルと、液晶パネルの背面側に光を照射するＬＥＤ光源と、液晶パネルとＬＥＤ光源との間に配置された拡散板と、ＬＥＤ光源に対して拡散板とは反対側に配置された反射シートと、反射シートの背面側に配置されたパネルホルダーと、反射シートの背面側に配置され、拡散板の背面で反射し反射シートとパネルホルダーとの隙間を伝搬する光を検出する、少なくとも１つの光検出装置と、を備える。
【発明の効果】
【０００８】
本発明に係る液晶ディスプレイにおいて、光検出装置は、反射シートとパネルホルダーの隙間を伝搬した光を検出する。よって、反射シートを透過した光を検出する構成と比較して、検出される光の光量が減衰することなく安定している。つまり、反射シートを透過する漏れ光ではなく、反射シートとパネルホルダーの隙間を伝搬する光を検出することにより、検出される光の光量が正確かつ安定する。よって、ＬＥＤ光源の輝度出力を適切に制御することが可能であり、液晶ディスプレイの経年変化等による出力輝度変化を精度よく補正することができる。
【図面の簡単な説明】
【０００９】
【図１】実施の形態１に係る液晶ディスプレイの分解斜視図である。
【図２】実施の形態１に係る液晶ディスプレイのＬＥＤ光源および反射シートの断面図である。
【図３】実施の形態１に係る液晶ディスプレイのバックパネルを取り外した状態の斜視図である。
【図４】実施の形態１に係る液晶ディスプレイの斜視断面図である。
【図５】実施の形態１に係る液晶ディスプレイの断面図である。
【図６】実施の形態１に係る液晶ディスプレイの輝度調整に関するハードウェア構成図である。
【図７】実施の形態１に係る液晶ディスプレイの輝度調整動作のフローチャートである。
【図８】実施の形態２に係る液晶ディスプレイのバックパネルを取り外した状態の斜視図である。
【図９】実施の形態３に係る液晶ディスプレイの斜視断面図である。
【図１０】実施の形態３に係る液晶ディスプレイの断面図である。
【図１１】実施の形態４に係るマルチ画面ディスプレイの構成を示す図である。
【発明を実施するための形態】
【００１０】
＜実施の形態１＞
＜構成＞
図１は、本実施の形態１における液晶ディスプレイ１００の分解斜視図である。また、図２は、図１中の線分Ａ−ＡにおけるＬＥＤ光源１１０および反射シート１０５の断面図である。図１、２に示すように、本明細書では各パネル部材（例えば液晶パネル１０１）の前面側の方向をＸ方向、背面側の方向を−Ｘ方向と定義する。
【００１１】
液晶ディスプレイ１００は、液晶モジュール２０１とその背面を覆うバックパネル１０８を備える。液晶モジュール２０１は、液晶パネル１０１、ＬＥＤ光源１１０、拡散板１０４、反射シート１０５、パネルホルダー１０６および光検出装置１０７を備える。
【００１２】
ＬＥＤ光源１１０は、反射シート１０５上に複数配列されている。ＬＥＤ光源１１０は、液晶パネル１０１の背面側に光を照射する。拡散板１０４は、液晶パネル１０１とＬＥＤ光源１１０との間に配置される。反射シート１０５は、ＬＥＤ光源１１０に対して拡散板１０４とは反対側に配置される。パネルホルダー１０６は、反射シート１０５の背面側に配置される。
【００１３】
光検出装置１０７は、反射シート１０５の背面側に配置される。後述するように、光検出装置１０７は、拡散板１０４の背面で反射し拡散板１０４とパネルホルダー１０６との隙間を伝搬する光を検出する。光検出装置１０７は例えば、光電セルを用いた光センサ、フォトダイオードを用いた光センサ等である。
【００１４】
また、液晶パネル１０１と拡散板１０４との間には、集光シート１０２および拡散シート１０３が配置される。液晶パネル１０１、集光シート１０２、拡散シート１０３、拡散板１０４はベゼル１０９に保持されて密着している。パネルホルダー１０６の背面はバックパネル１０８に覆われている。
【００１５】
反射シート１０５上に配列された複数のＬＥＤ光源１１０から射出された光は、拡散板１０４、拡散シート１０３、集光シート１０２を通り、液晶パネル１０１の背面全体へ投影される。反射シート１０５は、ＬＥＤ光源１１０から射出された背面方向への光を前面側（即ち拡散板１０４側）へ反射させる。ＬＥＤ光源１１０から射出された光は、反射シート１０５を透過しない。
【００１６】
図３は、バックパネル１０８を取り外した状態の液晶ディスプレイ１００の斜視図である。図４は、図３中の線分Ｂ−Ｂにおける斜視断面図である。また、図５は、図３中の線分Ｂ−Ｂにおける断面図である。図４および図５に示すように、パネルホルダー１０６には、パネルホルダー１０６の背面を貫通する穴１１１が設けられている。そして、パネルホルダー１０６の背面側には、穴１１１と重なるように光検出装置１０７が配置されている。また、図４および図５に示すように、本実施の形態１において、反射シート１０５は拡散板１０４よりも小さい。そのため、反射シート１０５とパネルホルダー１０６の間には隙間４０１が設けられる。
【００１７】
図５に、光検出装置１０７に入射する光の光路３０１を示す。ＬＥＤ光源１１０より射出された光の一部は、拡散板１０４の背面で反射して、反射シート１０５とパネルホルダー１０６との間の隙間４０１を通過する。隙間４０１を通過した光の一部は、パネルホルダー１０６の穴１１１を通過する。パネルホルダー１０６の穴を通過した光は、光検出装置１０７に入射する。つまり、光検出装置１０７は、パネルホルダー１０６の穴１１１を通過した光の輝度を検出する。また、反射シート１０５上で反射した後に拡散板１０４で反射した光の一部も、隙間４０１および穴１１１を通過して光検出装置１０７に入射する。
【００１８】
本実施の形態１では、反射シート１０５を透過した光を検出する特許文献１と比較して、反射シート１０５と拡散板１０４の隙間４０１を通過する光を検出するため、検出される光の光量が減衰することなく安定している。
【００１９】
図５に示すように、液晶ディスプレイ１００は、輝度調整部５０１を備える。輝度調整部５０１は、光検出装置１０７の検出結果に基づいてＬＥＤ光源１１０の輝度を調整する。
【００２０】
図６は、液晶ディスプレイ１００の輝度調整に関するハードウェア構成図である。図６に示すように、液晶ディスプレイ１００は、処理回路５０２、メモリ５０３およびＬＥＤ駆動回路５０４を備える。光検出装置１０７、処理回路５０２、メモリ５０３およびＬＥＤ駆動回路５０４はバス５０５で相互に接続されている。輝度調整部５０１は、処理回路５０２、メモリ５０３およびＬＥＤ駆動回路５０４によって実現される。ＬＥＤ駆動回路５０４は、処理回路５０２からの信号に基づいて各ＬＥＤ光源１１０の輝度を変化させる。
【００２１】
処理回路５０２およびＬＥＤ駆動回路５０４は、専用のハードウェアであってもよい。また、処理回路５０２およびＬＥＤ駆動回路５０４はメモリ５０３に格納されるプログラムを実行するＣＰＵ（Ｃｅｎｔｒａｌ  Ｐｒｏｃｅｓｓｉｎｇ  Ｕｎｉｔ、中央処理装置、処理装置、演算装置、マイクロプロセッサ、マイクロコンピュータ、プロセッサ、ＤＳＰともいう）であってもよい。
【００２２】
処理回路５０２およびＬＥＤ駆動回路５０４が専用のハードウェアである場合、処理回路５０２およびＬＥＤ駆動回路５０４は、例えば、単一回路、複合回路、プログラム化したプロセッサ、並列プログラム化したプロセッサ、ＡＳＩＣ、ＦＰＧＡ、またはこれらを組み合わせたものが該当する。
【００２３】
処理回路５０２およびＬＥＤ駆動回路５０４がＣＰＵの場合、輝度調整部５０１の機能は、ソフトウェア、ファームウェア、またはソフトウェアとファームウェアとの組み合わせにより実現される。ソフトウェアやファームウェアはプログラムとして記述され、メモリ５０３に格納される。処理回路５０２およびＬＥＤ駆動回路５０４は、メモリ５０３に記憶されたプログラムを読み出して実行することにより、輝度調整部５０１の機能を実現する。また、これらのプログラムは、輝度調整部５０１の手順や方法をコンピュータに実行させるものであるともいえる。ここで、メモリ５０３とは、例えば、ＲＡＭ、ＲＯＭ、フラッシュメモリー、ＥＰＲＯＭ、ＥＥＰＲＯＭ等の、不揮発性または揮発性の半導体メモリである。
【００２４】
＜動作＞
図７は、液晶ディスプレイ１００の輝度調整動作のフローチャートである。ＬＥＤ光源１１０は経年劣化する特徴を有しており、経過時間に応じて輝度が下がる。まず、光検出装置１０７は入射光の輝度を検出する（ステップＳ１０１）。次に、輝度調整部５０１はＬＥＤ光源１１０が劣化しているかどうかの判定を行う（ステップＳ１０２）。例えば、メモリ５０３には予め劣化を判定するための基準値が記憶されており、輝度調整部５０１は、光検出装置１０７が検出した輝度と、基準値とを比較する。そして、輝度が基準値を下回っている場合、輝度調整部５０１は、ＬＥＤ光源１１０が劣化していると判定してステップＳ１０３およびステップＳ１０４を実施する。
【００２５】
ステップＳ１０３において、輝度調整部５０１は、光検出装置１０７が検出した輝度と、目標値との輝度差を算出する。例えば、目標値は光検出装置１０７が検出した輝度よりも大きい輝度に設定される。そして、ステップＳ１０４において、輝度調整部５０１は、ステップＳ１０３において算出した輝度差に基づいて、各ＬＥＤ光源１１０の出力を調整する。出力の調整は、各ＬＥＤ光源１１０に印加する電流値を変化させることで行われる。例えば、ＬＥＤ光源１１０に印加する電流が増大した場合、ＬＥＤ光源１１０の輝度も増大する。
【００２６】
＜効果＞
本実施の形態１における液晶ディスプレイ１００は、液晶パネル１０１と、液晶パネル１０１の背面側に光を照射するＬＥＤ光源１１０と、液晶パネル１０１とＬＥＤ光源１１０との間に配置された拡散板１０４と、ＬＥＤ光源１１０に対して拡散板１０４とは反対側に配置された反射シート１０５と、反射シート１０５の背面側に配置されたパネルホルダー１０６と、反射シート１０５の背面側に配置され、拡散板１０４の背面で反射し反射シート１０５とパネルホルダー１０６との隙間４０１を伝搬する光を検出する、少なくとも１つの光検出装置１０７と、を備える。
【００２７】
本実施の形態１において、光検出装置１０７は、反射シート１０５とパネルホルダー１０６の隙間４０１を通過した光を検出する。よって、反射シート１０５を透過した光を検出する特許文献１と比較して、検出される光の光量が減衰することなく安定している。つまり、反射シート１０５を透過する漏れ光ではなく、反射シート１０５と拡散板１０４の隙間４０１を通過する光を検出することにより、検出される光の光量が正確かつ安定する。よって、ＬＥＤ光源１１０の輝度出力を適切に制御することが可能であり、液晶ディスプレイ１００の経年変化等による出力輝度変化を精度よく補正することができる。
【００２８】
また、本実施の形態１における液晶ディスプレイ１００において、光検出装置１０７はパネルホルダー１０６に対して反射シート１０５とは反対側に配置され、パネルホルダー１０６には穴１１１が設けられ、伝搬する光の光路３０１は穴１１１を通る。
【００２９】
従って、光検出装置１０７をパネルホルダー１０６の背面側に配置した場合であっても、パネルホルダー１０６に穴１１１を設けることにより、穴１１１を通して、隙間４０１を伝搬する光を検出することが可能となる。
【００３０】
また、本実施の形態１における液晶ディスプレイ１００は、少なくとも１つの光検出装置１０７の検出結果に基づいてＬＥＤ光源１１０の輝度を調整する輝度調整部５０１をさらに備える。従って、輝度調整部５０１により、光検出装置１０７の検出結果に基づいてＬＥＤ光源１１０の輝度を調整することが可能となる。
【００３１】
＜実施の形態２＞
＜構成＞
図８は、バックパネル１０８を取り外した状態の本実施の形態２における液晶ディスプレイ２００の斜視図である。図８に示すように、本実施の形態２では光検出装置１０７を複数配置する。パネルホルダー１０６には各光検出装置１０７に対応して、複数の穴１１１が設けられている。穴１１１および光検出装置１０７の構成は図５と同様である。つまり、各光検出装置１０７は、図５に示したのと同様に、反射シート１０５とパネルホルダー１０６の間の隙間４０１および穴１１１を伝搬した光を検出する。その他の構成は実施の形態１と同じため説明を省略する。
【００３２】
＜動作＞
本実施の形態２において、実施の形態１（図７）と異なる工程のみを説明する。まず、複数の光検出装置１０７のそれぞれは、入射光の輝度を検出する（ステップＳ１０１）。次に、輝度調整部５０１はＬＥＤ光源１１０が劣化しているかどうかの判定を行う（ステップＳ１０２）。例えば、メモリ５０３には予め劣化を判定するための基準値が記憶されており、輝度調整部５０１は、複数の光検出装置１０７が検出した輝度の加算平均値と、基準値とを比較する。以降のステップＳ１０３，Ｓ１０４は実施の形態１と同じため説明を省略する。
【００３３】
複数の光検出装置１０７が検出した輝度を平均することにより、光検出装置１０７が１つの場合よりも検出精度を高めることができる。
【００３４】
また、液晶ディスプレイ２００の輸送中の振動などにより、例えば穴１１１と光検出装置１０７との位置関係がずれた場合は、その光検出装置１０７において光の検出が正確に行えなくなる。本実施の形態２では、光検出装置１０７を複数配置するため安定して光の検出を行うことができる。
【００３５】
＜効果＞
本実施の形態２における液晶ディスプレイ２００において、少なくとも１つの光検出装置１０７は複数である。従って、複数の光検出装置１０７の検出結果を利用して輝度の調整が可能となるため、より精度の高い輝度調整が可能となる。
【００３６】
＜実施の形態３＞
図９は、本実施の形態３における液晶ディスプレイ３００の斜視断面図である。また、図１０は、液晶ディスプレイ３００の断面図である。実施の形態１においては、光検出装置１０７をパネルホルダー１０６の背面（−Ｘ方向側の面）に配置した。一方、本実施の形態３においては、図９、１０に示すように、光検出装置１０７をパネルホルダー１０６の前面（Ｘ方向側の面）に配置する。つまり、光検出装置１０７はパネルホルダー１０６と反射シート１０５の間に配置される。なお、本実施の形態３では、パネルホルダー１０６の前面に光検出装置１０７を配置するため、パネルホルダー１０６に光を伝搬させるための穴１１１を設ける必要がない。その他の構成は実施の形態１と同じため説明を省略する。
【００３７】
図１０に、光検出装置１０７に入射する光の光路３０２を示す。ＬＥＤ光源１１０より射出された光の一部は、拡散板１０４の背面で反射して、反射シート１０５とパネルホルダー１０６との間の隙間４０１を通過する。隙間４０１を通過した光の一部は、光検出装置１０７に入射する。つまり、光検出装置１０７は、反射シート１０５とパネルホルダー１０６との間の隙間４０１を通過した光の輝度を検出する。また、反射シート１０５上で反射した後に拡散板１０４で反射した光の一部も、隙間４０１を通過して光検出装置１０７に入射する。
【００３８】
本実施の形態３における液晶ディスプレイ３００の輝度調整動作は実施の形態１（図７）と同じため、説明を省略する。なお、本実施の形態３において、実施の形態２と同様に光検出装置１０７を複数配置してもよい。
【００３９】
＜効果＞
本実施の形態３における液晶ディスプレイ３００において、光検出装置１０７はパネルホルダー１０６と反射シート１０５の間に配置されている。本実施の形態３ではパネルホルダー１０６の前面に光検出装置１０７を配置するため、パネルホルダー１０６に光を伝搬させるための穴を設ける必要がなくなる。これにより、液晶ディスプレイの輸送中の振動などにより、穴と光検出装置１０７との位置関係がずれて、光の検出が正確に行えなくなるなどの問題を避けることが可能である。よって、光検出の精度を高めることができる。
【００４０】
＜実施の形態４＞
図１１は、本実施の形態４におけるマルチ画面ディスプレイの構成を示す図である。図１１に示すように、マルチ画面ディスプレイの画面は、複数の液晶ディスプレイ１００の画面（液晶パネル１０１）を例えば２×２のマトリックス状に組み合わせて形成される。
【００４１】
マルチ画面ディスプレイは、制御部５０６を備える。制御部５０６は、各液晶ディスプレイ１００の輝度調整部５０１と通信可能に接続されている。
【００４２】
制御部５０６は、処理回路およびメモリによって実現される。
【００４３】
処理回路は、専用のハードウェアであってもよい。また、処理回路はメモリに格納されるプログラムを実行するＣＰＵであってもよい。処理回路が専用のハードウェアである場合、処理回路は、例えば、単一回路、複合回路、プログラム化したプロセッサ、並列プログラム化したプロセッサ、ＡＳＩＣ、ＦＰＧＡ、またはこれらを組み合わせたものが該当する。
【００４４】
処理回路がＣＰＵの場合、制御部５０６の機能は、ソフトウェア、ファームウェア、またはソフトウェアとファームウェアとの組み合わせにより実現される。ソフトウェアやファームウェアはプログラムとして記述され、メモリに格納される。処理回路は、メモリに記憶されたプログラムを読み出して実行することにより、制御部５０６の機能を実現する。また、これらのプログラムは、制御部５０６の手順や方法をコンピュータに実行させるものであるともいえる。ここで、メモリとは、例えば、ＲＡＭ、ＲＯＭ、フラッシュメモリー、ＥＰＲＯＭ、ＥＥＰＲＯＭ等の、不揮発性または揮発性の半導体メモリである。
【００４５】
制御部５０６は、各液晶ディスプレイ１００の輝度調整部５０１から、光検出装置１０７が検出した輝度を取得する。本実施の形態４においては、制御部５０６は４つの液晶ディスプレイ１００から輝度を取得する。そして、制御部５０６は、共通の目標値として例えば４つの輝度のうち最も小さい輝度を設定する。なお、共通の目標値の設定方法はこれに限らず、全ての液晶ディスプレイ１００が達成可能な輝度であればよい。
【００４６】
次に、制御部５０６は設定した共通の目標値を各液晶ディスプレイ１００の輝度調整部５０１に送信する。各液晶ディスプレイ１００の輝度調整部５０１は、実施の形態１と同様、光検出装置１０７が検出した輝度と、目標値との輝度差を算出する（図７のステップＳ１０３を参照）。そして、輝度調整部５０１は算出した輝度差に基づいて、各ＬＥＤ光源１１０の出力を調整する（図７のステップＳ１０４を参照）。
【００４７】
以上の工程により、複数の液晶ディスプレイ１００の輝度差が補正され、マルチ画面ディスプレイの画面全体として、均一な輝度を得ることができる。なお、本実施の形態４におけるマルチ画面ディスプレイでは複数の液晶ディスプレイ１００を組み合わせたが、液晶ディスプレイ１００に替えて、複数の液晶ディスプレイ２００又は複数の液晶ディスプレイ３００を組み合わせてもよい。
【００４８】
また、本実施の形態４において、いずれかの液晶ディスプレイ１００の輝度調整部５０１が制御部５０６の機能を兼ねる構成としてもよい。この場合、制御部５０６の機能を兼ねる液晶ディスプレイ１００と、他の液晶ディスプレイ１００とは通信可能に接続され、輝度値および目標値の送受信を行う。
【００４９】
＜効果＞
本実施の形態４におけるマルチ画面ディスプレイは、液晶ディスプレイ１００の複数と、複数の液晶ディスプレイ１００のそれぞれに備わる光検出装置１０７の検出結果に基づいて、複数の液晶ディスプレイ１００の輝度差を補正するように、各液晶ディスプレイ１００に備わる輝度調整部５０１を制御する制御部５０６と、を備え、複数の液晶ディスプレイ１００は、複数の液晶パネル１０１が１つの画面を形成するように配置される。
【００５０】
一般に、同じ設計および同じ仕様の液晶ディスプレイであっても、複数の液晶ディスプレイ間で画面の明るさにばらつきがある。従って、複数の液晶ディスプレイを組み合わせて、輝度のむらの無い１つの大画面を構成する場合、液晶ディスプレイ間の輝度差を補正する必要がある。本実施の形態４では、各液晶ディスプレイ１００の光検出装置１０７において検出した輝度を利用して、制御部５０６が輝度差の補正を行う。これにより、大画面を構成する複数の液晶ディスプレイ１００の明るさおよび色を均一に調整することができる。
【００５１】
なお、本発明は、その発明の範囲内において、各実施の形態を自由に組み合わせたり、各実施の形態を適宜、変形、省略することが可能である。
【符号の説明】
【００５２】
１００，２００，３００  液晶ディスプレイ、１０１  液晶パネル、１０２  集光シート、１０３  拡散シート、１０４  拡散板、１０５  反射シート、１０６  パネルホルダー、１０７  光検出装置、１０８  バックパネル、１０９  ベゼル、１１０  ＬＥＤ光源、１１１  穴、２０１  液晶モジュール、３０１，３０２  光路、４０１  隙間、５０１  輝度調整部、５０２  処理回路、５０３  メモリ、５０４  ＬＥＤ駆動回路、５０５  バス、５０６  制御部。
【図１】
0006598626.tif 000002
【図２】
0006598626.tif 000003
【図３】
0006598626.tif 000004
【図４】
0006598626.tif 000005
【図５】
0006598626.tif 000006
【図６】
0006598626.tif 000007
【図７】
0006598626.tif 000008
【図８】
0006598626.tif 000009
【図９】
0006598626.tif 000010
【図１０】
0006598626.tif 000011
【図１１】
0006598626.tif 000012